(57)【特許請求の範囲】
【請求項１】
収納家具の両側の側板や中方立の間に棚板を着脱自在に架設した収納家具の棚取り付け構造において、棚板の両側の正面側の側端面には後部の縦溝からなる挿入ガイドにより下側に開放したほぼ水平の係合溝を設け、また棚板の両側の後側の側端面には下側に開放した複数の縦溝を設けるとともに、前記水平の係合溝は第２のダボを複数の縦溝のいずれかに取り付けたときに第1のダボが前記縦溝からなる挿入ガイドの位置ではなく、前記水平の係合溝内に位置する長さとし、
収納家具の両側の側板や中方立の内面に突設した第１のダボを上記水平の係合溝に係合して所定位置に保持し、同様に側板や中方立の内面に突設した第２のダボを複数の縦溝のいずれかに取り付けることにより、前記収納家具の棚板の後端面を背板に近接させた常態の位置と、前記収納家具の棚板の後端面を背板から離した開放位置との間でその取付位置を可変としたことを特徴とする収納家具の棚取り付け構造。
【発明の詳細な説明】
【技術分野】
【０００１】
この発明は、収納家具の側板や中方立の間に棚板を着脱自在に架設する収納家具の棚取り付け構造に関するものである。
【背景技術】
【０００２】
従来、収納家具に棚板を着脱自在に取り付ける場合には、収納家具の両側の側板や中方立の内面の前後に円柱状のダボをそれぞれ設け、他方棚板の下面の両側にはそれぞれ半円柱状の凹所を設けてあり、棚板を両側の側板や中方立の間に架け渡し、前記凹所をダボにそれぞれはめ込むようにしたものである。
【０００３】
ちなみに、この発明の収納家具の棚取り付け構造における水平の係合溝と構造的に似ている水平の係合溝が、実開昭和５９−６８４４６号公報（特許文献１参照）および特開２００２−１９１４５５号公報（特許文献２参照）、特開２００３−９３１６８号公報（特許文献３参照）にも採用されている。
そして、この従来例においては、棚板の前端に押さえる力が加わった場合でも、棚板の背部が跳ね上がって棚板の上に安定して物を載せることができないという問題は解消されている。
【先行技術文献】
【特許文献】
【０００４】
【特許文献１】実開昭和５９−６８４４６号公報
【特許文献２】特開２００２−１９１４５５号公報
【特許文献３】特開２００３−９３１６８号公報
【発明の概要】
【発明が解決しようとする課題】
【０００５】
ところで、昨今の収納家具は照明器具、コンセント等の電気器具を取り付けたいという要望が非常に多くなっており、また震災に対する安全性についても非常に大きな関心が寄せられている。
しかしながら、前記従来例における収納家具の棚取り付け構造においては、棚板は前後の動きが金具によって規制されてしまっており、電気部品の配線を棚板の後側に特別な加工なしには通すことができないという問題点があった。
もちろん、地震等による上下動によって棚板は容易に外れてしまうという可能性も非常に高いものであった。
【０００６】
この発明は従来例の前記課題を解消するためになされたものであって、可動棚板の側面に所望の溝加工を施し、その水平の係合溝へ円筒状のダボが入ることによって、水平の係合溝の長さの分だけ可動棚板が前後にスライドし、棚板の後側に配線スペースを確保するとともに、その際ダボが前記水平の係合溝の中に位置しているので、地震等による上下動が加わっても棚板が外れ落ちることを防止する効果を備えた収納家具の棚取り付け構造を提供することを目的とする。
【課題を解決するための手段】
【０００７】
上記課題を解決するためこの発明の収納家具の棚取り付け構造は、収納家具の両側の側板や中方立の間に棚板を着脱自在に架設した収納家具の棚取り付け構造において、棚板の両側の正面側の側端面には後部の縦溝からなる挿入ガイドにより下側に開放したほぼ水平の係合溝を設け、また棚板の両側の後側の側端面には下側に開放した複数の縦溝を設けるとともに、前記水平の係合溝は第２のダボを複数の縦溝のいずれかに取り付けたときに第1のダボが前記縦溝からなる挿入ガイドの位置ではなく、前記水平の係合溝内に位置する長さとし、
収納家具の両側の側板や中方立の内面に突設した第１のダボを上記水平の係合溝に係合して所定位置に保持し、同様に側板や中方立の内面に突設した第２のダボを複数の縦溝のいずれかに取り付けることにより、前記収納家具の棚板の後端面を背板に近接させた常態の位置と、前記収納家具の棚板の後端面を背板から離した開放位置との間でその取付位置を可変としたことを特徴とするものである。
【発明の効果】
【０００８】
この発明の収納家具の棚取り付け構造は、棚板の両側の正面側の一方の側端面には後部の縦溝からなる挿入ガイドにより下側に開放したほぼ水平の係合溝を設け、また棚板の両側の後側の側端面には下側に開放した複数の縦溝を設け、収納家具の両側の側板や中方立の内面に突設した第１のダボを上記係合溝に係合して所定位置に保持し、同様に側板や中方立の内面に突設した第２のダボを複数の縦溝のいずれかに取り付けられるようにしたので、前記収納家具の棚板の後端面を背板に近接させた常態の位置と、前記収納家具の棚板の後端面を背板から離した開放位置との間でその取付位置を変更することができるようになった。
したがって、収納家具の背板と棚板の後端との間に照明器具や、コンセント等の電気配線を通すスペースが確保でき、また電気配線を通すスペースが不要の場合には収納家具の背板と棚板の後端との間のスペースを小さくすることができる。
【０００９】
この発明の収納家具の棚取り付け構造は、前記水平の係合溝を、前記第２のダボを複数の縦溝のいずれかに取り付けたときに前記縦溝からなる挿入ガイドの位置ではなく、前記水平の係合溝内に位置する長さとしたので、地震やその他の震動を受けた場合でも棚板全体が跳ね上がることがなく、棚板の脱落のおそれを大幅に低減することができるようになった。
【００１０】
この発明の収納家具の棚取り付け構造は、棚板の両側の正面側の側端面には後部の縦溝からなる挿入ガイドにより下側に開放したほぼ水平の係合溝を設け、また棚板の両側の後側の側端面には下側に開放した複数の縦溝を設けたので、地震やその他の震動を受けた場合でも棚板の前端が跳ね上がることがなく、棚板が一層脱落しないように取り付けることができるようになった。
【図面の簡単な説明】
【００１１】
【図１】この発明の収納家具の棚取り付け構造の１実施例を示す概略斜視図である。
【図２】常態における棚板の取付位置を示す概略側面図である。
【図３】棚板を前方に移動させて、照明器具や、コンセント等の電気配線を通すスペースを確保した状態の棚板の取付位置を示す概略側面図である。
【発明を実施するための形態】
【００１２】
以下、図面に基いて、この発明の収納家具の棚取り付け構造の実施の形態を詳細に説明する。
図１はこの発明の収納家具の棚取り付け構造の１実施例を示すものであり、収納家具Ａの両側の側板または中方立１２の内面には複数のダボ１３−１，１３−２を突設してある。このダボ１３−１，１３−２は各側板または中方立１２の前後に位置するように突設してある。図ではこのダボ１３−１，１３−２は各側板または中方立１２への取付部位１３ａは大きい径に、また棚板１１への挿入部位１３ｂは小さい径に形成されている。
【００１３】
そして、前記両側の側板または中方立１２間に架設する棚板１１の両側の側端の正面側には、後部の縦溝からなる挿入ガイド２２により下側に開放したほぼ水平の係合溝２１を設けてあり、また棚板１１の両側の側端の後側には、下側に開放した複数の縦溝２３−１，２３−２が設けてある。
そして前記棚板１１を取り付ける場合には、まず前記水平の係合溝２１の後部の縦溝からなる挿入ガイド２２下側の開口部分に第１のダボ１３−１をはめ込み、その後水平の嵌合溝２１に該ダボ１３−１が入るように棚板１１を後方にスライドさせる。次いで棚板１１の両側の側端の後側に設けた複数の縦溝２３−１，２３−２のどちらかを第２のダボ１３−２にはめ込む。
また、前記棚板１１の後側を上に持ち上げてどちらかの縦溝２３−１，２３−２から第２のダボ１３−２を外し、第１のダボ１３−１を棚板１１の水平の係合溝２１から後部の縦溝からなる挿入ガイド２２に移動させて棚板１１を持ち上げることで、簡単に棚板１１を外すことができる。
【００１４】
次に、図２に常態における棚板１１の取付位置を、また図３に棚板１１を前方に移動させて照明器具や、コンセント等の電気配線を通すスペースを確保した状態における棚板１１の取付位置をそれぞれ示す。
すなわち、図２に示す常態における棚板１１の取付位置においては、前記棚板１１の両側の側端の正面側に位置する水平の嵌合溝２１の奥の方に第１のダボ１３−１が押し込まれている。また第２のダボ１３−２には、棚板１１の両側の側端の後側に設けた正面側の縦溝２３−１がはめ込まれている。
【００１５】
他方、図３に示す棚板１１を前方に移動させて照明器具や、コンセント等の電気配線を通すスペースを確保した状態における棚板１１の取付位置においては、前記棚板１１の両側の側端の正面側に位置する水平の嵌合溝２１の入口側に第１のダボ１３−１が押し込まれている。また第２のダボ１３−２には、棚板１１の両側の側端の後側に設けた後側の縦溝２３−２がはめ込まれている。
したがって、図３に示す取付位置においては、棚板１１の背後と背板２４との間に照明器具や、コンセント等の電気配線を通すスペースを確保することができ、昨今の収納家具における照明器具、コンセント等の電気器具を取り付けたいという要望に難なく対応することができる。
【００１６】
前記実施例においては、棚板１１の両側の正面側の側端面には後部の縦溝からなる挿入ガイド２２により下側に開放したほぼ水平の係合溝２１を設け、また棚板１１の両側の後側の側端面には下側に開放した複数の縦溝２３−１，２３−２を設けた場合について説明したが、前記水平の係合溝２１を棚板１１の両側の後側の側端面に設け、複数の縦溝２３−１，２３−２を棚板１１の両側の正面側の側端面に設けた場合でも、前記実施例と同様の作用効果を得ることができる。
【産業上の利用可能性】
【００１７】
この発明の収納家具の棚取り付け構造は、例えば家財道具や本、ビデオ、ＤＶＤなど雑多な物を収納し整理することを目的としたキャビネットや書架、その他の収納家具の棚取り付け構造として、またこの発明の要旨を変更しない限り、種々の用途に利用することができる。
【００１８】
さらに、このような収納家具は基本的には収納することが目的であるが、上述のような収納物を展示・陳列する事を目的とする場合にも好適に利用することができることはいうまでもない。
フォームの始まり
【符号の説明】
【００１９】
Ａ 収納家具
１１ 棚板
１２ 側板または中方立
１３−１  第１のダボ
１３−２  第２のダボ
１３ａ  側板または中方立への取付部位
１３ｂ  棚板への挿入部位
２１  水平の係合溝
２２  縦溝からなる挿入ガイド
２３−１，２３−２  縦溝
２４  背板
【図１】
0005565976.tif 000002
【図２】
0005565976.tif 000003
【図３】
0005565976.tif 000004